(57)【特許請求の範囲】
【請求項１】
基地局装置は、ＰＲＡＣＨの現在周波数領域位置を決めるステップと、
基地局装置は、アップリンクサブフレームの全部物理リソースブロック（ＰＲＢ）のＩＯＴ(Ｉｎｔｅｒｆｅｒｅｎｃｅ  Ｏｖｅｒ  Ｔｈｅｒｍａｌ)値を取得するステップuと、
基地局装置は、前記アップリンクサブフレームの全部のＰＲＢのＩＯＴ値とＩＯＴ検出閾値を比較して前記アップリンクサブフレームの全部のＰＲＢのうちの、ＩＯＴ値がＩＯＴ検出閾値より大きい複数のＰＲＢを決めるステップvと、
基地局装置は、前記ＩＯＴ検出閾値より高い複数のＰＲＢと前記ＰＲＡＣＨの現在周波数領域の位置にオーバーラップの有無を判断するステップwと、
オーバーラップ有と判断する場合、調整後のチャネル周波数領域オフセットを決められるように、プリセットした調整規則に基づいて前記ＰＲＡＣＨの現在周波数領域位置におけるチャネル周波数領域オフセットを調整するステップxとを備え、
前記プリセットした調整規則に基づいて前記ＰＲＡＣＨの現在周波数領域位置におけるチャネル周波数領域オフセットを調整するステップは、
前記ＰＲＢのＩＯＴ値がＩＯＴ検出閾値より低い全部の複数のＰＲＢから、物理アップリンク制御チャネル（ＰＵＣＣＨ）のために保留した複数のＰＲＢを削除するステップと、
残りの複数のＰＲＢから選出した連続の６個のＰＲＢが含まれるいずれかのＰＲＢグループを、前記ＰＲＡＣＨ調整後の周波数領域位置として決めるステップと、
前記ＰＲＡＣＨ調整後の周波数領域位置に基づいて、前記チャネル周波数領域オフセットを調整するステップとを備え、
残りの複数のＰＲＢに連続の６個のＰＲＢが含まれる複数のＰＲＢグループがある場合、前記プリセットした調整規則に基づいて前記ＰＲＡＣＨの現在周波数領域位置におけるチャネル周波数領域オフセットを調整するステップは、
干渉周波数帯の位置情報を決めるステップと、
前記連続の６個のＰＲＢが含まれる複数のＰＲＢグループから選出した、前記干渉周波数帯の位置情報との間隔が最大であるＰＲＢグループを、前記ＰＲＡＣＨ調整後の周波数領域位置として決めるステップと、
前記ＰＲＡＣＨ調整後の周波数領域位置に基づいて、前記チャネル周波数領域オフセットを調整するステップとを備えることを特徴とする物理ランダムアクセスチャネル（ＰＲＡＣＨ）のチャネル周波数領域オフセットを調整するための方法。
【請求項２】
基地局装置は、前記ＰＲＡＣＨの現在周波数領域位置を更新するステップyと、
基地局装置は、前記ＰＲＡＣＨの現在周波数領域位置に基づき、システム更新情報を生成してユーザ端末（ＵＥ）に送信するステップzとをさらに備え、
基地局装置は、プリセットした周期に基づき、前記ステップu、ステップv、ステップw、ステップx、ステップy、及びステップzを繰り返し実行することを特徴とする請求項１に記載の物理ランダムアクセスチャネル（ＰＲＡＣＨ）のチャネル周波数領域オフセットを調整するための方法。
【請求項３】
前記プリセットした調整規則に基づいて前記ＰＲＡＣＨの現在周波数領域位置におけるチャネル周波数領域オフセットを調整するステップは、
前記ＰＲＢのＩＯＴ値がＩＯＴ検出閾値より低い全部の複数のＰＲＢから選出した連続の６個のＰＲＢが含まれるいずれかのＰＲＢグループを、前記ＰＲＡＣＨ調整後の周波数領域位置として決めるステップと、
前記ＰＲＡＣＨ調整後の周波数領域位置に基づいて、前記チャネル周波数領域オフセットを調整するステップとを備えることを特徴とする請求項１または請求項２に記載の物理ランダムアクセスチャネル（ＰＲＡＣＨ）のチャネル周波数領域オフセットを調整するための方法。
【請求項４】
前記ＰＲＡＣＨの現在周波数領域位置は、前記ＰＲＡＣＨの初期デフォルト周波数領域位置を含むことを特徴とする請求項１に記載の物理ランダムアクセスチャネル（ＰＲＡＣＨ）のチャネル周波数領域オフセットを調整するための方法。
【請求項５】
物理ランダムアクセスチャネル（ＰＲＡＣＨ）のチャネル周波数領域オフセットを調整するための基地局装置であって、
前記基地局装置は、決めモジュールと、取得モジュールと、比較モジュールと、判断モジュールと、調整モジュールとを備え、
前記決めモジュールは、前記ＰＲＡＣＨの現在周波数領域位置を決め、
前記取得モジュールは、アップリンクサブフレームの全部物理リソースブロック（ＰＲＢ）のＩＯＴ(Ｉｎｔｅｒｆｅｒｅｎｃｅ  Ｏｖｅｒ  Ｔｈｅｒｍａｌ)値を取得し、
前記比較モジュールは、前記アップリンクサブフレームの全部のＰＲＢのＩＯＴ値とＩＯＴ検出閾値を比較して前記アップリンクサブフレームの全部のＰＲＢのうちの、ＩＯＴ値がＩＯＴ検出閾値より大きい複数のＰＲＢを決め、
前記判断モジュールは、前記ＩＯＴ検出閾値より高い複数のＰＲＢと前記ＰＲＡＣＨの現在周波数領域の位置にオーバーラップの有無を判断し、
前記調整モジュールは、オーバーラップ有と判断する場合、調整後のチャネル周波数領域オフセットを決められるように、プリセットした調整規則に基づいて前記ＰＲＡＣＨの現在周波数領域位置におけるチャネル周波数領域オフセットを調整し、
前記調整モジュールは、
前記ＰＲＢのＩＯＴ値がＩＯＴ検出閾値より低い全部の複数のＰＲＢから、物理アップリンク制御チャネル（ＰＵＣＣＨ）のために保留した複数のＰＲＢを削除し、
残りの複数のＰＲＢから選出した連続の６個のＰＲＢが含まれるいずれかのＰＲＢグループを、前記ＰＲＡＣＨ調整後の周波数領域位置として決め、
前記ＰＲＡＣＨ調整後の周波数領域位置に基づいて、前記チャネル周波数領域オフセットを調整し、
残りの複数のＰＲＢに連続の６個のＰＲＢが含まれる複数のＰＲＢグループがある場合、前記調整モジュールは、
干渉周波数帯の位置情報を決め、
複数のＰＲＢグループから選出した、前記干渉周波数帯の位置情報との間隔が最大であるＰＲＢグループを、前記ＰＲＡＣＨ調整後の周波数領域位置として決め、
前記ＰＲＡＣＨ調整後の周波数領域位置に基づいて、前記チャネル周波数領域オフセットを調整することを特徴とする物理ランダムアクセスチャネル（ＰＲＡＣＨ）のチャネル周波数領域オフセットを調整するための基地局装置。
【請求項６】
前記基地局装置は、更新モジュールと、送信モジュールとをさらに備え、
前記更新モジュールは、前記ＰＲＡＣＨの現在周波数領域位置を更新し、
前記送信モジュールは、前記ＰＲＡＣＨの現在周波数領域位置に基づいてシステム更新情報を生成してユーザ端末（ＵＥ）に送信し、
プリセットした周期に基づいて、前記決めモジュール、前記取得モジュール、前記比較モジュール、前記判断モジュール、前記調整モジュール、前記更新モジュール及び前記送信モジュールはそれぞれの動作を繰り返すことを特徴とする請求項５に記載の物理ランダムアクセスチャネル（ＰＲＡＣＨ）のチャネル周波数領域オフセットを調整するための基地局装置。
【請求項７】
前記調整モジュールは、
前記ＰＲＢのＩＯＴ値がＩＯＴ検出閾値より低い全部の複数のＰＲＢから選出した連続の６個のＰＲＢが含まれるいずれかのＰＲＢグループを、前記ＰＲＡＣＨ調整後の周波数領域位置として決め、
前記ＰＲＡＣＨ調整後の周波数領域位置に基づいて、前記チャネル周波数領域オフセットを調整することを特徴とする請求項５または請求項６に記載の物理ランダムアクセスチャネル（ＰＲＡＣＨ）のチャネル周波数領域オフセットを調整するための基地局装置。
【請求項８】
前記ＰＲＡＣＨの現在周波数領域位置は、前記ＰＲＡＣＨの初期デフォルト周波数領域位置を含むことを特徴とする請求項５に記載の物理ランダムアクセスチャネル（ＰＲＡＣＨ）のチャネル周波数領域オフセットを調整するための基地局装置。
【発明の詳細な説明】
【技術分野】
【０００１】
本発明は移動通信分野に関し、特に、物理ランダムアクセスチャネル（ＰＲＡＣＨ）のチャネル周波数領域オフセットを調整するための方法及び装置に関する。
【背景技術】
【０００２】
現代移動通信はますます高伝送率のマルチメディアサビースを提供するようになっており、３Ｇ技術は既に現代通信の主な研究分野になっている。３ＧＰＰ（３ｒｄ Ｇｅｎｅｒａｔｉｏｎ Ｐａｒｔｎｅｒｓｈｉｐ Ｐｒｏｊｅｃｔ）はＬＴＥ（Ｌｏｎｇ  Ｔｅｒｍ  Ｅｖｏｌｕｔｉｏｎ）システムを３Ｇシステムの強化システムとして研究してきた。また、ＬＴＥ−Ａ（Ｌｏｎｇ  Ｔｅｒｍ  Ｅｖｏｌｕｔｉｏｎ−Ａｄｖａｎｃｅｄ）は、ＬＴＥ技術の後続の強化システムであり、一般的に３.９Ｇと呼ばれる。４Ｇと比べれば、ＬＴＥ（Ｌｏｎｇ  Ｔｅｒｍ  Ｅｖｏｌｕｔｉｏｎ）は、最大帯域幅及びアップリンク ピークとの２つの指標が４Ｇの要求をすごし下回る以外、他の技術指標すべては４Ｇ標準の要求を達成した。
【０００３】
ＬＴＥシステムにおいて、ＰＲＡＣＨ（Ｐｈｙｓｉｃａｌ Ｒａｎｄｏｍ Ａｃｃｅｓｓ Ｃｈａｎｎｅｌ，物理ランダムアクセスチャネル）は、アップリンクランダムアクセスチャネルであり、ＵＥ（Ｕｓｅｒ  Ｅｑｕｉｐｍｅｎｔ，ユーザ端末）がＦＰＡＣＨ（Ｆａｓｔ Ｐｈｙｓｉｃａｌ Ａｃｃｅｓｓ Ｃｈａｎｎｅｌ，高速物理アクセスチャネル）応答メッセージを受信した後、基地局により通知された情報に基づいて、ＰＲＡＣＨチャネルにおいてＲＲＣ（Ｒａｄｉｏ Ｒｅｓｏｕｒｃｅ Ｃｏｎｔｒｏｌ，無線リソース制御プロトコール）メッセージを送信して、ＲＲＣを確立する。複数のＰＲＡＣＨチャネルの場合、ＵＥはＦＰＡＣＨにより示された情報に基づいて対応のＰＲＡＣＨチャネルを選択する。
【０００４】
ＬＴＥシステムのアップリンクＰＲＡＣＨチャネルにおいて、１つのＰＲＡＣＨチャネルが周波数領域において連続な６つのＰＲＢ（Ｐｈｙｓｉｃａｌ Ｒｅｓｏｕｒｃｅ Ｂｌｏｃｋ，物理リソースブロック）を占有するように設定される。また、ＰＲＡＣＨ時間領域構造の主なパラメータはｐｒｅａｍｂｌｅ ｆｏｒｍａｔであり、ＰＲＡＣＨチャネルのＰｒｅａｍｂｌｅ  ｆｏｒｍａｔが０~３である場合、ＰＲＡＣＨのチャネル周波数領域オフセットの設定が必要となる。当該チャネル周波数領域オフセットは、ＵＥアップリンクＰＲＡＣＨチャネルが位置する周波数領域の送信位置及び基地局がアップリンクＰＲＡＣＨチャネルを受信する周波数領域位置に影響を直ちに与える。
【０００５】
従来技術において、ＰＲＡＣＨのチャネル周波数領域位置は、一般的に、セルの初期化の後、手入力または初期化ファイルの導入により設定されるが、チャネル周波数領域オフセットがセルの確立前に設定完了されたため、セルの現在通信環境に応じるように適応調整できない。
【０００６】
基地局により設定されたＰＲＡＣＨ周波数領域位置情報は、ｐｒｅａｍｂｌｅのアップリンク検出際の基地局位置を決める。当該周波数帯には、強いノイズ・フロア上がりまたは周波数帯の突発干渉がある場合、干渉またはノイズが有用な信号の電力より強ければ、基地局がＰＲＡＣＨチャネルに含まれるｐｒｅａｍｂｌｅを検出・解析できなくなり、これにより、ＵＥがシステムにアクセスできず、システム全体のアクセス電力が低減されてしまう。
【０００７】
よって、セルの現在通信環境に応じるようにＰＲＡＣＨのチャネル周波数領域位置を適応調整できない問題点を解決するための、有効な技術案を案出する必要がある。
【発明の概要】
【発明が解決しようとする課題】
【０００８】
本発明は、物理ランダムアクセスチャネル（ＰＲＡＣＨ）のチャネル周波数領域オフセットを調整するための方法及び装置を提供して、上述の従来技術の欠陥を解決し、とくに、セルの現在通信環境に応じるようにＰＲＡＣＨのチャネル周波数領域位置を適応調整できない問題点を解決できる。
【課題を解決するための手段】
【０００９】
上述の問題点を解決するため、本発明は物理ランダムアクセスチャネル（ＰＲＡＣＨ）のチャネル周波数領域オフセットを調整するための方法を提供し、当該方法は、前記ＰＲＡＣＨの現在周波数領域位置を決めるステップと、アップリンクサブフレームの全部物理リソースブロック（ＰＲＢ）のＩＯＴ(Ｉｎｔｅｒｆｅｒｅｎｃｅ  Ｏｖｅｒ  Ｔｈｅｒｍａｌ)値を取得するステップvと、前記アップリンクサブフレームの全部のＰＲＢのＩＯＴ値とＩＯＴ検出閾値を比較して前記アップリンクサブフレームの全部のＰＲＢのうちの、ＩＯＴ値がＩＯＴ検出閾値より大きい複数のＰＲＢを決めるステップwと、前記ＩＯＴ検出閾値より高い複数のＰＲＢと前記ＰＲＡＣＨの現在周波数領域の位置にオーバーラップの有無を判断するステップxと、オーバーラップ有と判断する場合、調整後のチャネル周波数領域オフセットを決められるように、プリセットした調整規則に基づいて前記ＰＲＡＣＨの現在周波数領域位置におけるチャネル周波数領域オフセットを調整するステップyとを備える。
【００１０】
さらに、本発明は物理ランダムアクセスチャネル（ＰＲＡＣＨ）のチャネル周波数領域オフセットを調整するための基地局装置を提供し、当該基地局装置は決めモジュールと、取得モジュールと、比較モジュールと、判断モジュールと、調整モジュールとを備え、前記決めモジュールは、前記ＰＲＡＣＨの現在周波数領域位置を決め、前記取得モジュールは、アップリンクサブフレームの全部物理リソースブロック（ＰＲＢ）のＩＯＴ(Ｉｎｔｅｒｆｅｒｅｎｃｅ  Ｏｖｅｒ  Ｔｈｅｒｍａｌ)値を取得し、前記比較モジュールは、前記アップリンクサブフレームの全部のＰＲＢのＩＯＴ値とＩＯＴ検出閾値を比較して前記アップリンクサブフレームの全部のＰＲＢのうちの、ＩＯＴ値がＩＯＴ検出閾値より大きい複数のＰＲＢを決め、前記判断モジュールは、前記ＩＯＴ検出閾値より高い複数のＰＲＢと前記ＰＲＡＣＨの現在周波数領域の位置にオーバーラップの有無を判断し、前記調整モジュールは、オーバーラップ有と判断する場合、調整後のチャネル周波数領域オフセットを決められるように、プリセットした調整規則に基づいて前記ＰＲＡＣＨの現在周波数領域位置におけるチャネル周波数領域オフセットを調整する。
【発明の効果】
【００１１】
ＰＲＡＣＨのチャネル周波数領域オフセットが現在通信環境に応じるように適応調整をできるため、システムにおいて、強いＩＯＴまたは突発な干渉が起こる場合、ＰＲＡＣＨのチャネル位置は、適応調整により干渉位置から離れられる。こうして、基地局がＰＲＡＣＨチャネルに含まれるｐｒｅａｍｂｌｅを検出・解析することを確保でき、ＵＥのアクセスが成功することを確保できる。
【００１２】
本発明の上述の案は、従来システムへの変更は小さく、不システムの交換性へ影響せず、且つ効率よく簡単に実施できる。
【図面の簡単な説明】
【００１３】
【図１】本発明に係る実施例の物理ランダムアクセスチャネル（ＰＲＡＣＨ）のチャネル周波数領域オフセットを調整するための方法フローチャートである。
【図２】本発明に係る実施例の物理ランダムアクセスチャネル（ＰＲＡＣＨ）のチャネル周波数領域オフセットを調整するための方法フローチャートである。
【図３】本発明に係る実施例の物理ランダムアクセスチャネル（ＰＲＡＣＨ）のチャネル周波数領域オフセットを調整するための構造図である。
【図４】本発明に係る実施例の物理ランダムアクセスチャネル（ＰＲＡＣＨ）のチャネル周波数領域オフセットを調整するための構造図である。
【発明を実施するための形態】
【００１４】
図１は本発明に係る実施例の物理ランダムアクセスチャネル（ＰＲＡＣＨ）のチャネル周波数領域オフセットを調整するための方法フローチャートである。
【００１５】
ステップＳ１１０において、基地局装置は、ＰＲＡＣＨの現在周波数領域位置を確定する。
ここで、ＰＲＡＣＨの現在周波数領域位置は、ＰＲＡＣＨの初期デフォルト周波数領域位置及びＰＲＡＣＨの周波数領域位置が更新された後の現在周波数領域位置を含むが、これに限られない。
【００１６】
具体的に、基地局装置はセルの初期化の場合既に設定されたＰＲＡＣＨの初期デフォルト周波数領域位置を取得するか、または、基地局装置は、システムおり更新された後のＰＲＡＣＨの周波数領域位置を取得する。
【００１７】
ステップＳ１２０において、基地局装置は、アップリンクサブフレームの全部物理リソースブロック（ＰＲＢ）のＩＯＴ(Ｉｎｔｅｒｆｅｒｅｎｃｅ  Ｏｖｅｒ  Ｔｈｅｒｍａｌ)値を取得する。
ここで、ＩＯＴは、チャネル干渉の総合状況を示す指標である。例えば、現在アップリンクチャネルに干渉がなく、ノイズ・フロアが-９９dBmであり、当該チャネルに干渉が突発した後のノイズ・フロアは-６０dBmまで上がる場合、ＩＯＴ値は３９ dB（=-６０ dBm -（-９９ dBm））である。
【００１８】
具体的に、ステップＳ１２０において、基地局装置中ＰＬＰＬ（Ｐｈｙｓｉｃａｌ Ｌａｙｅｒ，物理層）は、全部のアップリンクサブフレームＰＲＢのＩＯＴ値をプリセットした周期に従って測定するかまたはランダムに測定して、当該全部のアップリンクサブフレームＰＲＢのＩＯＴ値をＨＬ（Ｈｉｇｈ Ｌａｙｅｒ，高位層）に報告する。
ステップＳ１３０において、基地局装置は、アップリンクサブフレームの全部のＰＩＯＴ値がＩＯＴ検出閾値より高い複数のＰＲＢを決めるために、アップリンクサブフレームの全部のＰＲＢのＩＯＴ値をＩＯＴ検出閾値と比較する。
【００１９】
具体的に、ステップＳ１３０において、基地局装置におけるＨＬは、アップリンクサブフレームの全部のＰＲＢのうちの、ＩＯＴ値がＩＯＴ検出閾値より高い複数のＰＲＢを決めるために、受信したアップリンクサブフレームの全部のＰＲＢのＩＯＴ値をＩＯＴ検出閾値と比較する。
【００２０】
ステップＳ１４０において、基地局装置は、ＩＯＴ検出閾値より高い複数のＰＲＢ及びＰＲＡＣＨの現在周波数領域位置にオーバーラップの有無を判断する。
具体的に、基地局装置におけるＨＬは、ＩＯＴ検出閾値より高い複数のＰＲＢと当該ＰＲＡＣＨの現在周波数領域位置にオーバーラップの有無を判断する。
【００２１】
ステップＳ１５０において、オーバーラップ有と判断する場合、基地局装置は、調整後のチャネル周波数領域オフセットを決めるために、プリセットした調整規則に基づいて、対ＰＲＡＣＨの現在周波数領域位置におけるチャネル周波数領域オフセットを調整する。
【００２２】
ここで、プリセットした調整規則に基づいてＰＲＡＣＨの現在周波数領域位置におけるチャネル周波数領域オフセットを調整する方法は、以下のステップを備えるが、下記のステップに限られない。
１）ステップＳ１５１（未図示）及びステップＳ１５２（未図示）を備える。ステップＳ１５１において、基地局装置は、ＰＲＢのＩＯＴ値がＩＯＴ検出閾値より低い全部の複数のＰＲＢから、連続の６個のＰＲＢが含まれるいずれかのＰＲＢグループを選出して、ＰＲＡＣＨ調整後の周波数領域位置として決める。ステップＳ１５２において、基地局装置は、ＰＲＡＣＨ調整後の周波数領域位置に基づいて、チャネル周波数領域オフセットを調整する。
２）ステップＳ１５３（未図示）と、ステップＳ１５４（未図示）と、ステップＳ１５５（未図示）とを備える。ステップＳ１５３において、基地局装置は、ＰＲＢのＩＯＴ値がＩＯＴ検出閾値より低い全部の複数のＰＲＢから、物理アップリンク制御チャネル（ＰＵＣＣＨ）のために保留した複数のＰＲＢを削除する。ステップＳ１５４において、基地局装置は、残りの複数のＰＲＢから、連続の６個のＰＲＢが含まれるいずれかのＰＲＢグループを選出して、ＰＲＡＣＨ調整後の周波数領域位置として決める。ステップＳ１５５において、基地局装置は、ＰＲＡＣＨ調整後の周波数領域位置に基づいて、チャネル周波数領域オフセットを調整する。
【００２３】
ここで、ＬＴＥシステムにおいて、アップリンクチャネルにおいて、ＰＵＣＣＨのために一定数のＰＲＢを保留し、かつＰＵＣＣＨの複数のＰＲＢそれぞれは、利用可能なスペクトルリソースの両端に位置する。
【００２４】
一例には、ステップＳ１５３において、ＰＵＣＣＨのために４０個のＰＲＢを保留し、基地局装置は、ＰＲＢのＩＯＴ値がＩＯＴ検出閾値より低い全部の複数のＰＲＢから、スペクトルの両端に位置するそれぞれの２０個ＰＲＢを削除する。ステップＳ１５４において、基地局装置は、残りの複数のＰＲＢから、連続の６個のＰＲＢが含まれるいずれかのＰＲＢグループを選出して、ＰＲＡＣＨ調整後の周波数領域位置として決める。ステップＳ１５５において、基地局装置は、ＰＲＡＣＨ調整後の周波数領域位置に基づいて、チャネル周波数領域オフセットを調整する。
【００２５】
好ましくは、残りの複数のＰＲＢに連続の６個のＰＲＢが含まれる複数のＰＲＢグループがある場合、ステップＳ１５７（未図示）と、ステップＳ１５８（未図示）と、ステップＳ１５９（未図示）とを備える。ステップＳ１５７において、基地局装置は、干渉周波数帯の位置情報を決める。ステップＳ１５８において、基地局装置は、連続の６個のＰＲＢが含まれる複数のＰＲＢグループから選出した、当該干渉周波数帯の位置情報との間隔が最大であるＰＲＢグループを、ＰＲＡＣＨ調整後の周波数領域位置として決める。ステップＳ１５９において、基地局装置は当該ＰＲＡＣＨ調整後の周波数領域位置に基づいて、チャネル周波数領域オフセットを調整する。
【００２６】
具体的に、ステップＳ１５７において、基地局装置は、干渉周波数帯の位置情報（例えば、干渉周波数帯の位置情報がOT値ＩＯＴ検出閾値より高い複数のＰＲＢ情報である）を決める。ステップＳ１５８において、基地局装置は、連続の６個のＰＲＢが含まれる複数のＰＲＢグループから選出した、当該干渉周波数帯の位置情報との間隔が最大であるＰＲＢグループを、当該ＰＲＡＣＨ調整後の周波数領域位置として決める。ステップＳ１５９において、基地局装置は、当該ＰＲＡＣＨ調整後の周波数領域位置に基づいて、チャネル周波数領域オフセットを調整する。
【００２７】
ステップＳ１４０において、基地局装置がＩＯＴ検出閾値より高い複数のＰＲＢ及びＰＲＡＣＨの現在周波数領域位置にオーバーラップがないと判断する場合、基地局装置は上述の調整を行わず、ユーザー端末装置は正常にアクセスする。
【００２８】
ＴＤＤ-ＬＴＥにおいて、上述のステップに入る前に、まずは、基地局装置におけるＨＬは、ＰＲＡＣＨの時間領域の送信サブフレーム、即ち時間領域送信位置を決める。具体的に、ＰＲＡＣＨの時間領域の送信サブフレームはシステムのためにパラメータを事前に設定し、セルの確立前に当該設定が完了する。そして、ＰＬは、ＨＬに、アップリンクサブフレームの周波数領域の全部のＩＯＴ値を報告し、ＨＬは、決めた当該ＰＲＡＣＨの時間領域の送信サブフレームに基づいて判断して、当該ＰＲＡＣＨの時間領域の送信サブフレームが属ずるアップリンクサブフレームの全部ＩＯＴ値を決める。そして、基地局装置は、上述のステップＳ１１０、ステップＳ１２０、ステップＳ１３０、ステップＳ１４０及びステップＳ１５０を実行する。
【００２９】
ＰＲＡＣＨのチャネル周波数領域オフセットは、現在通信環境に応じるように適応調整できるため、システムに強いＩＯＴまたは突発した干渉が起こる場合、ＰＲＡＣＨのチャネル位置は、干渉位置から離れるように自動に調整することができる。こうして、基地局がＰＲＡＣＨチャネルに含まれるｐｒｅａｍｂｌｅを検出・解析することを確保でき、ＵＥが成功にアクセスすることを確保できる。
【００３０】
図２は本発明に係る実施例の物理ランダムアクセスチャネル（ＰＲＡＣＨ）のチャネル周波数領域オフセットを調整するための方法フローチャートである。
【００３１】
ＰＲＡＣＨのチャネル周波数領域オフセットを調整するための方法は、ステップＳ２６０と、ステップＳ２７０とをさらに備える。ステップＳ２６０において、基地局装置は、ＰＲＡＣＨの現在周波数領域位置を更新する。ステップＳ２７０において、基地局装置は、ＰＲＡＣＨの現在周波数領域位置に基づいて、システム更新情報を生成してＵＥに送信する。プリセットした周期に基づいて、基地局装置は、ステップＳ２２０において、アップリンクサブフレームの物理リソースブロック（ＰＲＢ）の全部のＩＯＴ(Ｉｎｔｅｒｆｅｒｅｎｃｅ  Ｏｖｅｒ  Ｔｈｅｒｍａｌ)値を繰り返し取得し、ステップＳ２３０において、アップリンクサブフレームの全部のＰＩＯＴ値がＩＯＴ検出閾値より高い複数のＰＲＢを決めるために、アップリンクサブフレームの全部のＰＲＢのＩＯＴ値をＩＯＴ検出閾値と繰り返し比較する。ステップＳ２４０において、ＩＯＴ検出閾値より高い複数のＰＲＢ及びＰＲＡＣＨの現在周波数領域位置にオーバーラップの有無を繰り返し判断する。オーバーラップ有と判断する場合、ステップＳ２５０において、調整後のチャネル周波数領域オフセットを決めるために、プリセットした調整規則に基づいて、ＰＲＡＣＨの現在周波数領域位置におけるチャネル周波数領域オフセットを繰り返し調整する。ステップＳ２６０において、ＰＲＡＣＨの現在周波数領域位置を繰り返し更新する。ステップＳ２７０において、ＰＲＡＣＨの現在周波数領域位置に基づいて、システム更新情報を生成してＵＥに送信するように繰り返す。
【００３２】
具体的に、ステップＳ２６０において、基地局装置におけるＨＬは、調整後のチャネル周波数領域オフセットをＰＬに転送する。ＰＬは、当該調整後のチャネル周波数領域オフセットに基づいてＰＲＡＣＨの現在周波数領域位置を更新する。ステップＳ２７０において、基地局装置は、ＰＲＡＣＨの現在周波数領域位置に基づいて、システム更新情報を生成してＵＥに送信する。ＵＥは現在周波数領域位置に基づいてネットワークへアクセスできる。ステップＳ２２０において、基地局装置は、プリセットした周期に基づいてアップリンクサブフレームの物理リソースブロック（ＰＲＢ）の全部のＩＯＴ値を取得する場合、基地局装置は、ステップＳ２３０、ステップＳ２４０、ステップＳ２５０、ステップＳ２６０及びステップＳ２７０を繰り返し実行する。ここで、ステップＳ２１０、ステップＳ２２０、ステップＳ２３０、ステップＳ２４０及びステップＳ２５０における基地局装置の実行方法は、ステップＳ１１０、ステップＳ１２０、ステップＳ１３０、ステップＳ１４０及びステップＳ１５０を実行する場合と同一であるか類似するため、説明を省略する。
【００３３】
ＰＲＡＣＨのチャネル周波数領域オフセットは、現在通信環境に応じるように適応調整できるため、システムに強いＩＯＴまたは突発した干渉が起こる場合、ＰＲＡＣＨのチャネル位置は、干渉位置から離れるように持続かつ自動に調整することができる。こうして、システムは環境の変化への適応性がより安定になり、長時間のＵＥアクセスを成功率を確保できる一方、システムについてチャネル周波数領域オフセットを手動で修正しなくなり、ネットワーク最適化及び企画作業者の仕事煩雑さを低減することにより、労務費も低減される。さらに、システムの柔軟性を向上して、複雑なテストの場面にも適応できる。
【００３４】
図３は本発明に係る実施例の物理ランダムアクセスチャネル（ＰＲＡＣＨ）のチャネル周波数領域オフセットを調整するための構造図である。
【００３５】
ここで、基地局装置１００は、決めモジュール１１０と、取得モジュール１２０と、比較モジュール１３０と、判断モジュール１４０と、調整モジュール１５０とを備える。
まずは、決めモジュール１１０は、ＰＲＡＣＨの現在周波数領域位置を決めする。
【００３６】
ここで、ＰＲＡＣＨの現在周波数領域位置は、ＰＲＡＣＨの初期デフォルト周波数領域位置及びＰＲＡＣＨの周波数領域位置が更新された後の現在周波数領域位置を含むが、これに限られない。
【００３７】
具体的に、決めモジュール１１０はセルの初期化の場合既に設定されたＰＲＡＣＨの初期デフォルト周波数領域位置を取得するか、または、システム更新後のＰＲＡＣＨの周波数領域位置を取得する。
【００３８】
引き続き、取得モジュール１２０は、アップリンクサブフレームの全部物理リソースブロック（ＰＲＢ）のＩＯＴ(Ｉｎｔｅｒｆｅｒｅｎｃｅ  Ｏｖｅｒ  Ｔｈｅｒｍａｌ)値を取得する。
【００３９】
ここで、ＩＯＴはチャネル干渉の総合状況を示す指標である。例えば、現在アップリンクチャネルに干渉がない場合、ノイズ・フロアは-９９dBmであり、当該チャネルに突発干渉が起こる場合、ノイズ・フロアが-６０dBmまでに上がると、ＩＯＴ値は３９ dB（=-６０ dBm -（-９９ dBm））となる。
【００４０】
具体的に、取得モジュール１２０は、全部のアップリンクサブフレームＰＲＢのＩＯＴ値を、プリセットした周期によって測定するか、または、ランダムに測定する。
【００４１】
その後、比較モジュール１３０は、アップリンクサブフレームの全部のＰＲＢのうちの、ＩＯＴ値がＩＯＴ検出閾値より高い複数のＰＲＢを決めるために、取得モジュール１２０により取得したアップリンクサブフレームの全部のＰＲＢのＩＯＴ(Ｉｎｔｅｒｆｅｒｅｎｃｅ  Ｏｖｅｒ  Ｔｈｅｒｍａｌ)値を、ＩＯＴ検出閾値と比較する。
【００４２】
具体的に、比較モジュール１３０は、アップリンクサブフレームの全部のＰＲＢのうちの、ＩＯＴ値がＩＯＴ検出閾値より高い複数のＰＲＢを決めるために、アップリンクサブフレームの全部のＰＲＢのＩＯＴ値をＩＯＴ検出閾値と比較する。
【００４３】
その後、判断モジュール１４０は、ＩＯＴ検出閾値より高い複数のＰＲＢ及びＰＲＡＣＨの現在周波数領域位置にオーバーラップの有無を判断する。
【００４４】
具体的に、判断モジュール１４０は、ＩＯＴ検出閾値より高い複数のＰＲＢ及び当該ＰＲＡＣＨの現在周波数領域位置にオーバーラップの有無を判断する。
【００４５】
オーバーラップ有と判断する場合、調整モジュール１５０は、調整後のチャネル周波数領域オフセットを決めるために、プリセットした調整規則に基づいてＰＲＡＣＨの現在周波数領域位置におけるチャネル周波数領域オフセットを調整する。
【００４６】
ここで、プリセットした調整規則に基づいてＰＲＡＣＨの現在周波数領域位置におけるチャネル周波数領域オフセットを調整する方法は下記の内容を備えるが、それに限られない。
１）好ましくは、調整モジュール１５０は、第１決めユニット（未図示）及び第１調整ユニット（未図示）を備える。第１決めユニットは、ＰＲＢのＩＯＴ値がＩＯＴ検出閾値より低い全部の複数のＰＲＢから、連続の６個のＰＲＢが含まれるいずれかのＰＲＢグループを選出して、ＰＲＡＣＨ調整後の周波数領域位置として決める。そして。第１調整ユニットは、ＰＲＡＣＨ調整後の周波数領域位置に基づいてチャネル周波数領域オフセットを調整する。
２）好ましくは、調整モジュール１５０は、削除ユニット（未図示）と、第２決めユニット（未図示）と、第２調整ユニット（未図示）とを備える。削除ユニットは、ＰＲＢのＩＯＴ値がＩＯＴ検出閾値より低い全部の複数のＰＲＢから、物理アップリンク制御チャネル（ＰＵＣＣＨ）のために保留した複数のＰＲＢを削除する。第２決めユニットは、残りの複数のＰＲＢから、連続の６個のＰＲＢが含まれるいずれかのＰＲＢグループを選出して、ＰＲＡＣＨ調整後の周波数領域位置として決める。第２調整ユニットは、ＰＲＡＣＨ調整後の周波数領域位置に基づいて、チャネル周波数領域オフセットを調整する。
【００４７】
ここで、ＬＴＥシステムでは、アップリンクチャネルにおいて、ＰＵＣＣＨのために一定数のＰＲＢを保留し、かつＰＵＣＣＨの複数のＰＲＢそれぞれは、利用可能なスペクトルリソースの両端に位置する。
【００４８】
一例において、ＰＵＣＣＨのために、４０個のＰＲＢを保留することを仮説する。削除ユニットは、ＰＲＢのＩＯＴ値がＩＯＴ検出閾値より低い全部の複数のＰＲＢから、スペクトルの両端に位置するそれぞれの２０個ＰＲＢを削除する。第２決めユニットは、残りの複数のＰＲＢから、連続の６個のＰＲＢが含まれるいずれかのＰＲＢグループを選出して、ＰＲＡＣＨ調整後の周波数領域位置として決める。第２調整ユニットは、ＰＲＡＣＨ調整後の周波数領域位置に基づいて、チャネル周波数領域オフセットを調整する。
【００４９】
好ましくは、残りの複数のＰＲＢに連続の６個のＰＲＢが含まれる複数のＰＲＢグループがある場合、当該調整モジュール１５０は、第３決めユニット（未図示）と、第４決めユニット（未図示）と、第３調整ユニット（未図示）とを備える。第３決めユニットは、干渉周波数帯の位置情報を決める。第４決めユニットは、連続の６個のＰＲＢが含まれる複数のＰＲＢグループから選出した、当該干渉周波数帯の位置情報との間隔が最大であるＰＲＢグループを、ＰＲＡＣＨ調整後の周波数領域位置として決める。第３調整ユニットは、当該ＰＲＡＣＨ調整後の周波数領域位置に基づいて、チャネル周波数領域オフセットを調整する。
【００５０】
具体的に、第３決めユニットは干渉周波数帯の位置情報を決め、例えば、干渉周波数帯の位置情報は、ＩＯＴ値がＩＯＴ検出閾値より高い複数のＰＲＢである。第４決めユニットは、連続の６個のＰＲＢが含まれる複数のＰＲＢグループから選出した、当該干渉周波数帯の位置情報との間隔が最大であるＰＲＢグループを、当該ＰＲＡＣＨ調整後の周波数領域位置として決める。第３調整ユニットは、当該ＰＲＡＣＨ調整後の周波数領域位置に基づき、チャネル周波数領域オフセットを調整する。
【００５１】
判断モジュール１４０がＩＯＴ検出閾値より高い複数のＰＲＢ及びＰＲＡＣＨの現在周波数領域位置にオーバーラップ無と判断する場合、基地局装置は、上述の調整を実行せず、ユーザー端末装置は、正常にアクセスする。
【００５２】
ＴＤＤ-ＬＴＥにおいて、決めモジュール１１０が自身の機能を実行する前、まず、基地局装置におけるＨＬは、ＰＲＡＣＨの時間領域の送信サブフレーム、即ち、時間領域送信位置を決める。具体的に、ＰＲＡＣＨの時間領域の送信サブフレームはシステムのためにパラメータを事前に設定し、セルの確立前に当該設定が完了する。引き続き、ＰＬは、ＨＬに、アップリンクサブフレームの周波数領域の全部のＩＯＴ値を報告し、ＨＬは、決めた当該ＰＲＡＣＨの時間領域の送信サブフレームに基づいて判断して、当該ＰＲＡＣＨの時間領域の送信サブフレームが属ずるアップリンクサブフレームの全部ＩＯＴ値を決める。そして、決めモジュール２１０、取得モジュール２２０、比較モジュール２３０、判断モジュール２４０及び調整モジュール２５０は、それぞれの機能を実行する。
【００５３】
ＰＲＡＣＨのチャネル周波数領域オフセットは現在通信環境に応じるように適応調整できるため、システムに強いＩＯＴまたは突発した干渉が起こる場合、ＰＲＡＣＨのチャネル位置は干渉位置から離れるように自動に調整でき、基地局がＰＲＡＣＨチャネルに含まれるｐｒｅａｍｂｌｅを検出・解析することを確保でき、ＵＥが成功にアクセスすることを確保できる。
【００５４】
図４は、本発明に係る実施例の物理ランダムアクセスチャネル（ＰＲＡＣＨ）のチャネル周波数領域オフセットを調整するための構造図である。
【００５５】
基地局装置２００は、決めモジュール２１０と、取得モジュール２２０と、比較モジュール２３０と、判断モジュール２４０と、調整モジュール２５０と、更新モジュール２６０と、送信モジュール２７０とを備える。プリセットした周期に基づき、取得モジュール２２０は、アップリンクサブフレームの物理リソースブロック（ＰＲＢ）の全部のＩＯＴ(Ｉｎｔｅｒｆｅｒｅｎｃｅ  Ｏｖｅｒ  Ｔｈｅｒｍａｌ)値を繰り返し取得する。比較モジュール２３０は、アップリンクサブフレームの全部のＰＲＢのうちの、ＩＯＴ値がＩＯＴ検出閾値より高い複数のＰＲＢを決めるために、アップリンクサブフレームの全部のＰＲＢのＩＯＴ値をＩＯＴ検出閾値と繰り返し比較する。判断モジュール２４０は、ＩＯＴ検出閾値より高い複数のＰＲＢ及びＰＲＡＣＨの現在周波数領域位置にオーバーラップの有無を繰り返し判断する。オーバーラップ有と判断する場合、調整モジュール２５０は、調整後のチャネル周波数領域オフセットを決めるために、プリセットした調整規則に基づいてＰＲＡＣＨの現在周波数領域位置におけるチャネル周波数領域オフセットを繰り返し調整する。更新モジュール２６０は、ＰＲＡＣＨの現在周波数領域位置を繰り返し更新する。送信モジュール２７０は、前記ＰＲＡＣＨの現在周波数領域位置に基づき、システム更新情報を生成してＵＥに送信するように繰り返す。ここで、決めモジュール２１０、取得モジュール２２０、比較モジュール２３０、判断モジュール２４０及び調整モジュール２５０は、図３における決めモジュール１１０、取得モジュール１２０、比較モジュール１３０、判断モジュール１４０及び調整モジュール１５０の実行機能と同一であるか、または類似するため、説明を省略する。
【００５６】
具体的に、更新モジュール２６０は、当該調整後のチャネル周波数領域オフセットに基づいてＰＲＡＣＨの現在周波数領域位置を更新する。ステップＳ２７０において、送信モジュール２７０は、ＰＲＡＣＨの現在周波数領域位置に基づいて、システム更新情報を生成してＵＥに送信する。ＵＥは、現在周波数領域位置に基づいて、ネットワークへアクセスする。取得モジュール２２０は、プリセットした周期に基づいてアップリンクサブフレームの全部物理リソースブロック（ＰＲＢ）のＩＯＴ値を取得する場合、比較モジュール２３０、判断モジュール２４０、調整モジュール２５０、更新モジュール２６０及び送信モジュール２７０は、それぞれの機能を繰り返し実行する。
【００５７】
ＰＲＡＣＨのチャネル周波数領域オフセットは、現在通信環境に応じるように適応調整できるため、システムに強いＩＯＴまたは突発した干渉が起こる場合、ＰＲＡＣＨのチャネル位置は、干渉位置から離れるように自動に調整する一方、システムは環境の変化への適応性がより安定になり、長時間のＵＥアクセスを成功率を確保できる。また、システムについてチャネル周波数領域オフセットを手動で修正しなくなり、ネットワーク最適化及び企画作業者の仕事煩雑さを低減することにより、労務費も低減される；さらに、システムの柔軟性を向上して、複雑なテストの場面にも適応できる。 
【００５８】
当業者であれば、上述の実施例方法に含まれる全部または一部のステップは、プログラムにより関連ハードウェアを命令して実行することができる。前記プログラムはコンピュータ記憶媒体に記憶されることができる。また、当該プログラムの実行は、方法実施例の１つのステップまたは、ステップ達を組み合わせを含む。
【００５９】
また、本発明にかかる実施例における機能ユニットたちは、１つのの処理モジュールに集成されてもよく、それぞれ別個に存在してもよく、２つまたは２つ以上のユニットが１つのモジュールに集成されてもよい。上記集成されたモジュールは、ハードウェアの存在でもよく、ソフトウェア機能モジュールの存在でもよい。前記集成されたモジュールは、ソフトウェア機能モジュールの存在であり且つ製品として販売または利用する場合、コンピュータ記憶媒体に記憶されておくことができる。
【００６０】
上述の記憶媒体は、読取記憶装置、磁気ディスク、または、光ディスクなどである。
上述の内容は本発明の一部の実施形態にすぎない。無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【００６１】
本出願は、２０１４年３月６日に中国特許局に提出し、出願番号が２０１４１００８０５３８.８であり、発明名称が「物理ランダムアクセスチャネル（ＰＲＡＣＨ）のチャネル周波数領域オフセットを調整するための方法及び装置」との中国特許出願を基礎とする優先権を主張し、その開示の総てをここに取り込む。
【図１】
0006381680.tif 000002
【図２】
0006381680.tif 000003
【図３】
0006381680.tif 000004
【図４】
0006381680.tif 000005